(57)【要約】  【課題】  エネルギーを有効に活用し、作業環境を汚染することのない取鍋予熱装置を提供する。  【解決手段】  上部に溶湯の注ぎ口と開口部を有する取鍋本体１と、取鍋本体の開口部を塞いで断熱する蓋２と、取鍋本体内部を加熱する電気抵抗加熱式ヒーター３を設け、該ヒーターに通電させて取鍋本体内部を加熱する電気抵抗加熱式ヒーターを加熱手段ととして備えることを特徴とする取鍋予熱装置。【選択図】  図１
2014117714.tif 000002
【特許請求の範囲】
【請求項１】
上部に溶湯の注ぎ口と開口部を有する取鍋本体と、
取鍋本体の開口部を塞いで断熱する蓋と、
取鍋本体内部を加熱する電気抵抗加熱式ヒーターを設け、該ヒーターに通電させて取鍋本体内部を加熱する電気抵抗加熱式ヒーターを加熱手段として備える
ことを特徴とする取鍋予熱装置。
【請求項２】
前記蓋が、取鍋本体と接する側に６００℃における熱伝導率が０．３Ｗ／ｍ・Ｋ以下かつかさ比重０．５以下の素材から成る断熱層を有するものであることを特徴とする請求項１に記載された取鍋予熱装置。
【請求項３】
前記取鍋の注ぎ口の内部にも、電気抵抗加熱式ヒーターを装着したことを特徴とする請求項１または２に記載された取鍋予熱装置。
【請求項４】
前記電気抵抗加熱式ヒーターが、セラミックヒーターであることを特徴とする請求項１〜３のいずれか１項に記載された取鍋予熱装置。
【発明の詳細な説明】
【技術分野】
【０００１】
本発明は、鋳造作業場で使用される取鍋の予熱ないし保温のための装置に関する。
【背景技術】
【０００２】
取鍋は、鋳造品を製造するための溶湯を、鋳造鋳型まで搬送する容器として使用される。
【０００３】
取鍋の予熱は、高温の溶湯を炉から取鍋内に移した時に、取鍋内で溶湯が急激に冷やされないために行われる。取鍋の予熱は、できるだけ高温であるのが望ましいが、経済性の観点から取鍋外壁の温度が３００℃以上になるように行われる。
【０００４】
従来から、取鍋の予熱は取鍋を横にしたり、裏返したりして、その内部を、ガスや重油等のバーナーを使用して加熱する方法が知られている。
【０００５】
しかし、このバーナーによる予熱方法では温められた気体が取鍋の内部に留まらず、つねに外部へ逃げていくため熱効率が悪い。また、つねに燃焼ガスが取鍋内に供給されるため、蓋で取鍋を密閉して断熱することができず、加熱されたままの燃焼ガスが作業環境を汚染する。
【０００６】
これらの問題点を解決するため、特許文献１では、取鍋本体と密閉蓋からなり、密閉蓋を貫通する双極の電極を挿入して、取鍋本体内部をアーク放電により加熱する取鍋予熱装置が提案されている。
【先行技術文献】
【特許文献】
【０００７】
【特許文献１】特開２０１２−５５９０８号公報
【発明の概要】
【発明が解決しようとする課題】
【０００８】
特許文献１に記載された発明によれば、バーナーを使用せず、取鍋の開口部を蓋で密閉するので、燃焼ガスによる作業環境の汚染はない。しかしながら、熱源としてアークを利用するため、アークの安定性や電極表面の酸化を防ぐために不活性ガスの投入が望ましく、大気中での使用は困難である。
【０００９】
本発明が解決しようとする課題は、エネルギーを有効に活用し、作業環境を汚染することのない取鍋予熱装置を提供することにある。
【課題を解決するための手段】
【００１０】
上記課題を解決するため、本発明の取鍋予熱装置は、上部に溶湯の注ぎ口と開口部を有する取鍋本体と、取鍋本体の開口部を塞いで断熱する蓋と、取鍋本体内部を加熱する電気抵抗加熱式ヒーターを設け、該ヒーターに通電させて取鍋本体内部を加熱する電気抵抗加熱式ヒーターを加熱手段として備えることを特徴とする。
【００１１】
本発明の取鍋予熱装置を使用して取鍋を予熱するには、電気抵抗予熱式ヒーターを設けた蓋もしくは取鍋本体を昇降させて、電気抵抗加熱式ヒーターをセットした後、電気抵抗加熱式ヒーターに通電させて、取鍋本体を内部から加熱する。
【００１２】
本発明によれば、電気による加熱で、取鍋開口部に蓋をして断熱もできるため、作業環境の汚染もなく、省エネ効果も高い。更に、電気抵抗加熱式ヒーターによる加熱のため、アーク加熱のように取鍋内に不活性ガスを投入する必要もなく、大気中で取鍋を加熱することが可能である。
【００１３】
蓋は電気抵抗加熱式ヒーターで予熱した熱を逃さないためのものであるので、取鍋本体を密閉する構造である必要はない。予熱で投入した熱エネルギーを有効に活用するために、蓋は断熱性に優れた断熱層を有する二層構造とすることが好ましい。断熱性に優れる素材としては、熱伝導率が低く、かつかさ比重が小さいものが好ましい。断熱層としては、６００℃における熱伝導率が０．３Ｗ／ｍ・Ｋ以下かつかさ比重０．５以下の素材からなるものを挙げることができる。６００℃における熱伝導率が０．３Ｗ／ｍ・Ｋ以下の素材としては、例えば、アルミナ系セラミックファイバーボード、珪酸カルシウム系セラミックファイバーボード、JIS規格A類耐火断熱煉瓦などを挙げることができる。
【００１４】
更に、取鍋の溶湯注ぎ口にも、その直径に合わせた電気抵抗加熱式ヒーターを投げ入れて加熱することで温まりにくい注ぎ口の加熱も容易になる。
【００１５】
本発明の電気抵抗加熱式ヒーターとは、電気抵抗体に通電することによりジュール熱により発熱する加熱手段であり、金属ヒーターまたはセラミックヒーターを挙げることができる。金属ヒーターよりセラミックヒーターを使用することで、単位面積当りの発熱量が高くすることができるため、取鍋のように開口部面積が限られる用途には更に好ましい。
【００１６】
本発明におけるセラミックヒーターとは、例えば、炭化けい素発熱体や二けい化モリブデン発熱体などのように、セラミックスに直接通電してジュール熱によって1,000℃以上に発熱するものである。
【００１７】
電気抵抗加熱式ヒーターを設置するには、図１及び図２に示したように、蓋に貫通して設ければよい。
【００１８】
取鍋を予熱する手順は、最初に電気抵抗加熱式ヒーターを設けた蓋もしくは取鍋本体を昇降させて、電気抵抗加熱式ヒーターをセットする。取鍋本体の予熱は電気抵抗加熱式ヒーターに通電すればよく、取鍋の予熱温度の制御は、取鍋外側に設けた熱電対等で取鍋本体の温度を測定して行えばよい。
【発明の効果】
【００１９】
このように、本発明に係る取鍋予熱装置によれば、電気抵抗加熱式ヒーターによる加熱することおよび取鍋の開口部を塞いで断熱することにより、熱エネルギーを有効に活用でき、作業環境への汚染もない。アーク加熱で懸念される電極の消耗もないため、大気中で使用でき、不活性ガスを注入する必要もない。
【図面の簡単な説明】
【００２０】
【図１】本発明の取鍋予熱装置の構成を模式的に示す図である。
【図２】本発明の取鍋予熱装置の蓋の構造の一実施形態を模式的に示す図である。
【発明を実施するための形態】
【００２１】
以下、本発明に係る取鍋予熱装置について、図面を参照しながら説明する。
【００２２】
図１は本発明の取鍋予熱装置の構成を模式的に示した図である。
【００２３】
本発明の取鍋予熱装置は、取鍋本体１と取鍋の開口部を塞いで断熱するための蓋２、それに電気抵抗加熱式ヒーター３で構成される。取鍋内の雰囲気は、大気中でよいため、アーク放電のように蓋２と取鍋本体１を押圧して密閉する必要はない。
【００２４】
取鍋は取り扱い等で取鍋本体の上端のレンガが欠けたり、スラグが付着したりするため、蓋２と取鍋１との間には、セラミックウールやセラミックブランケットを設けてもよい。
【００２５】
取鍋1の溶湯の注ぎ口６を温めるため、注ぎ口６の内径部分に注ぎ口用電気抵抗加熱式ヒーター４を投入して加熱することも好ましい。
【００２６】
電気抵抗加熱式ヒーターの制御は、取鍋外側に設けた熱電対等で温度を測定し、ヒーターに投入する電力を調整すればよい。
【００２７】
以上、説明したように、本実施の形態に係る取鍋予熱装置によれば、取鍋１の上部開口部を蓋２で覆って断熱するため、熱エネルギーを外部へ逃がすこともなく、省エネ効果が高く、また電気抵抗加熱式ヒーター３を熱源とするため作業環境を汚染することもない。
【００２８】
電気抵抗加熱式ヒーター３、４は大気中で消耗しないため、取鍋内を不活性ガスで置換する必要も無く、押圧も必要としない。
【００２９】
図２は、取鍋予熱装置の蓋の構造の一実施形態を模式的に示す図である。
【００３０】
蓋２は電気抵抗加熱式ヒーター３で予熱した熱を逃がさないためのものであり、取鍋本体を密閉する必要はない。蓋２の好ましい実施形態として、図２に示したように取鍋本体と接する側に断熱層２−１を有するものを挙げることができる。断熱層２−１としては、６００℃における熱伝導率が０．３Ｗ／ｍ・Ｋ以下かつかさ比重０．５以下の素材からなり、２０〜６０mm程度の厚みがあればよい。なお、電気抵抗加熱式ヒーターとして具体的にはセラミックヒーターを挙げることができるが、セラミックヒーターは電気を供給する端部３−２と供給された電気で発熱する発熱部３−１からなるものであり、端部３−２を蓋２に貫通させればよい。
【００３１】
以上、本発明に係る取鍋予熱装置について、実施形態に基づいて説明したが本発明はこれに限定されるものではなく、本発明の目的を達成でき、かつ発明の要旨を逸脱しない範囲内で種々設計変更が可能であり、それらも全て本発明の範囲内に内包されるものである。
【産業上の利用可能性】
【００３２】
本発明は、鋳造工場で用いられる取鍋の予熱保温装置として利用することができる。
【符号の説明】
【００３３】
１：取鍋
２：蓋
２−１：断熱層
３：電気抵抗加熱式ヒーター
３−１：発熱部
３−２：端部
４：注入口用電気抵抗加熱式ヒーター
５：ヒーター用電源ケーブル
６：注ぎ口
【図１】
2014117714.tif 000003
【図２】
2014117714.tif 000004